(57)【要約】      （修正有）【課題】ＵＶ光および可視光による光メディアの記録層の劣化を抑制し、光メディアの記録層を劣化させるおそれがあるＵＶ光が光メディアに当たっていることをユーザーに認識させる光メディア収納ケースを提供する。【解決手段】透明な材料によって形成された光透過部分１００ａ等を有する光メディア収納ケース１００において、所定量未満のＵＶ光に当たる時には変色せず、所定量以上のＵＶ光に当たる時には変色する素材を該光透過部分に含有させる。素材が変色している時には、光透過部分に含有せしめられている素材が変色していない時よりも、該光透過部分の光透過率が低くなるように構成する。【選択図】図２
0003145685.tif 000002
【実用新案登録請求の範囲】
【請求項１】
透明な材料によって形成された光透過部分（１００ａ，２００ａ，２００ｂ）を有する光メディア収納ケース（１００，２００）において、
所定量未満のＵＶ光に当たる時には変色せず、所定量以上のＵＶ光に当たる時には変色する素材を光透過部分（１００ａ，２００ａ，２００ｂ）に含有させ、
光透過部分（１００ａ，２００ａ，２００ｂ）に含有せしめられている素材が変色している時には、光透過部分（１００ａ，２００ａ，２００ｂ）に含有せしめられている素材が変色していない時よりも、光透過部分（１００ａ，２００ａ，２００ｂ）の光透過率が低くなることを特徴とする光メディア収納ケース（１００，２００）。
【請求項２】
光透過部分（１００ａ，２００ａ，２００ｂ）に含有せしめられている素材が変色している時に、光透過部分（１００ａ，２００ａ，２００ｂ）が、光メディア収納ケース（１００，２００）に収納される光メディアの記録層中の色素と同系統の色になることを特徴とする請求項１に記載の光メディア収納ケース（１００，２００）。
【請求項３】
前記所定量以上のＵＶ光が所定時間以上累積して光透過部分（１００ａ，２００ａ，２００ｂ）に当たった場合には、前記所定量以上のＵＶ光が所定時間未満しか累積して光透過部分（１００ａ，２００ａ，２００ｂ）に当たっていない場合よりも、光透過部分（１００ａ，２００ａ，２００ｂ）に含有せしめられている素材の変色度合いが低下することを特徴とする請求項１又は２に記載の光メディア収納ケース（１００，２００）。
【考案の詳細な説明】
【技術分野】
【０００１】
本考案は、透明な材料によって形成された光透過部分を有する光メディア収納ケースに関し、特には、ＵＶ光および可視光による光メディアの記録層の劣化を抑制することができる光メディア収納ケースに関する。
【０００２】
更に、本考案は、光メディアの記録層を劣化させるおそれがあるＵＶ光が光メディアに当たっていることをユーザーに認識させることができる光メディア収納ケースに関する。
【背景技術】
【０００３】
従来から、透明な材料によって形成された光透過部分を有する光メディア収納ケースが知られている。この種の光メディア収納ケースの例としては、例えば特開２００１−３５４２８８号公報の図１０、特開２００７−２７６８８５号公報の図１などに記載されたものがある。
【０００４】
特開２００１−３５４２８８号公報の図１０に記載された光メディア収納ケースには、センターホール（中心穴）を有する複数の光メディア（光学ディスク）を積層して載置するためのベース（載置台）と、光メディア（光学ディスク）のセンターホール（中心穴）と嵌合するシャフト（ガイド軸）と、積層された複数の光メディア（光学ディスク）を覆うための筒状カバー（ケース体）とが設けられている。
【０００５】
特開２００１−３５４２８８号公報の図１０に記載されたような従来の光メディア収納ケースでは、一般に、筒状カバー（ケース体）が、透明な樹脂材料によって形成され、光透過部分として構成されている。そのため、特開２００１−３５４２８８号公報の図１０に記載されたような従来の光メディア収納ケースでは、ユーザーが、筒状カバー（ケース体）の内側の光メディア（光学ディスク）を筒状カバー（ケース体）の外側から認識することができる。
【０００６】
また、特開２００７−２７６８８５号公報の図１に記載された光メディア収納ケースには、光メディア（光学ディスク）のセンターホール（中央孔）が係止せしめられる光メディア係止部（保持部）を有するケース本体（保持板）と、ヒンジ軸を中心にケース本体（保持板）に対して回動することにより開閉可能に構成されたケース蓋体（カバー体）とが設けられている。
【０００７】
特開２００７−２７６８８５号公報の図１に記載されたような従来の光メディア収納ケースでは、一般に、ケース本体（保持板）およびケース蓋体（カバー体）の両方、あるいは、ケース蓋体（カバー体）のみが、透明な樹脂材料によって形成され、光透過部分として構成されている。そのため、特開２００７−２７６８８５号公報の図１に記載されたような従来の光メディア収納ケースでは、ユーザーが、ケース蓋体（カバー体）またはケース本体（保持板）を介して、光メディア収納ケースの内側の光メディア（光学ディスク）を認識することができる。
【０００８】
ところで、一般に、光メディアの記録層は、ＵＶ光および可視光に曝されると劣化してしまうおそれがある材料によって構成されている。そのため、特開２００１−３５４２８８号公報の図１０、特開２００７−２７６８８５号公報の図１などに記載された従来の光メディア収納ケースのように、ユーザーが光メディア収納ケースの外側から光メディア収納ケースの内側の光メディア（光学ディスク）を認識することができるように、光メディア収納ケースが構成されていると、光メディアの記録層が劣化してしまうおそれがある。
【０００９】
【特許文献１】特開２００１−３５４２８８号公報の図１０
【特許文献２】特開２００７−２７６８８５号公報の図１
【考案の開示】
【考案が解決しようとする課題】
【００１０】
前記問題点に鑑み、本考案は、ＵＶ光および可視光による光メディアの記録層の劣化を抑制することができる光メディア収納ケースを提供することを目的とする。
【００１１】
更に、本考案は、光メディアの記録層を劣化させるおそれがあるＵＶ光が光メディアに当たっていることをユーザーに認識させることができる光メディア収納ケースを提供することを目的とする。
【課題を解決するための手段】
【００１２】
請求項１に記載の考案によれば、透明な材料によって形成された光透過部分（１００ａ，２００ａ，２００ｂ）を有する光メディア収納ケース（１００，２００）において、
所定量未満のＵＶ光に当たる時には変色せず、所定量以上のＵＶ光に当たる時には変色する素材を光透過部分（１００ａ，２００ａ，２００ｂ）に含有させ、
光透過部分（１００ａ，２００ａ，２００ｂ）に含有せしめられている素材が変色している時には、光透過部分（１００ａ，２００ａ，２００ｂ）に含有せしめられている素材が変色していない時よりも、光透過部分（１００ａ，２００ａ，２００ｂ）の光透過率が低くなることを特徴とする光メディア収納ケース（１００，２００）が提供される。
【００１３】
請求項２に記載の考案によれば、光透過部分（１００ａ，２００ａ，２００ｂ）に含有せしめられている素材が変色している時に、光透過部分（１００ａ，２００ａ，２００ｂ）が、光メディア収納ケース（１００，２００）に収納される光メディアの記録層中の色素と同系統の色になることを特徴とする請求項１に記載の光メディア収納ケース（１００，２００）が提供される。
【００１４】
請求項３に記載の考案によれば、前記所定量以上のＵＶ光が所定時間以上累積して光透過部分（１００ａ，２００ａ，２００ｂ）に当たった場合には、前記所定量以上のＵＶ光が所定時間未満しか累積して光透過部分（１００ａ，２００ａ，２００ｂ）に当たっていない場合よりも、光透過部分（１００ａ，２００ａ，２００ｂ）に含有せしめられている素材の変色度合いが低下することを特徴とする請求項１又は２に記載の光メディア収納ケース（１００，２００）が提供される。
【考案の効果】
【００１５】
請求項１に記載の光メディア収納ケース（１００，２００）では、透明な材料によって形成された光透過部分（１００ａ，２００ａ，２００ｂ）が設けられている。更に、その光透過部分（１００ａ，２００ａ，２００ｂ）に、所定量未満のＵＶ光に当たる時には変色せず、所定量以上のＵＶ光に当たる時には変色する素材が含有せしめられている。
【００１６】
そのため、請求項１に記載の光メディア収納ケース（１００，２００）によれば、光透過部分（１００ａ，２００ａ，２００ｂ）に含有せしめられている素材が変色することにより、光メディアの記録層を劣化させるおそれがあるＵＶ光が光メディアに当たっていることをユーザーに認識させることができる。
【００１７】
更に、請求項１に記載の光メディア収納ケース（１００，２００）では、光透過部分（１００ａ，２００ａ，２００ｂ）に含有せしめられている素材が変色している時に、光透過部分（１００ａ，２００ａ，２００ｂ）に含有せしめられている素材が変色していない時よりも、光透過部分（１００ａ，２００ａ，２００ｂ）の光透過率が低くなる。
【００１８】
つまり、請求項１に記載の光メディア収納ケース（１００，２００）では、光透過部分（１００ａ，２００ａ，２００ｂ）に含有せしめられている素材が変色している時に、ＵＶ光および可視光の一部が、光透過部分（１００ａ，２００ａ，２００ｂ）に吸収され、光メディアの記録層に到達しない。
【００１９】
そのため、請求項１に記載の光メディア収納ケース（１００，２００）によれば、透明な材料によって形成された光透過部分（１００ａ，２００ａ，２００ｂ）にその素材が含有せしめられていない場合よりも、ＵＶ光および可視光が光メディアの記録層に到達してしまうのを抑制することができる。
【００２０】
その結果、請求項１に記載の光メディア収納ケース（１００，２００）によれば、透明な材料によって形成された光透過部分（１００ａ，２００ａ，２００ｂ）にその素材が含有せしめられていない場合よりも、ＵＶ光および可視光による光メディアの記録層の劣化を抑制することができる。
【００２１】
請求項２に記載の光メディア収納ケース（１００，２００）では、光透過部分（１００ａ，２００ａ，２００ｂ）に含有せしめられている素材が変色している時に、光透過部分（１００ａ，２００ａ，２００ｂ）が、光メディア収納ケース（１００，２００）に収納される光メディアの記録層中の色素と同系統の色になる。
【００２２】
つまり、請求項２に記載の光メディア収納ケース（１００，２００）では、ＵＶ光および可視光に含まれる光のうち、光メディアの記録層中の色素に吸収されやすく、光メディアの記録層を劣化させるおそれがある波長の光が、光メディアの記録層に到達する前に、光メディアの記録層中の色素と同系統の色に変色している光透過部分（１００ａ，２００ａ，２００ｂ）に含有せしめられている素材に吸収される。
【００２３】
換言すれば、請求項２に記載の光メディア収納ケース（１００，２００）によれば、ＵＶ光および可視光に含まれる光のうち、仮に光メディアの記録層に到達すると、光メディアの記録層中の色素に吸収されて光メディアの記録層を劣化させるおそれがある波長の光が、光メディアの記録層に到達してしまうのを抑制することができる。
【００２４】
そのため、請求項２に記載の光メディア収納ケース（１００，２００）によれば、光透過部分（１００ａ，２００ａ，２００ｂ）が光メディアの記録層中の色素と同系統の色に変色しない場合よりも、ＵＶ光および可視光による光メディアの記録層の劣化を抑制することができる。
【００２５】
請求項３に記載の光メディア収納ケース（１００，２００）では、光透過部分（１００ａ，２００ａ，２００ｂ）に含有せしめられている素材が変色する程度に強いＵＶ光が所定時間以上累積して光透過部分（１００ａ，２００ａ，２００ｂ）に当たった場合には、光透過部分（１００ａ，２００ａ，２００ｂ）に含有せしめられている素材が変色する程度に強いＵＶ光が所定時間未満しか累積して光透過部分（１００ａ，２００ａ，２００ｂ）に当たっていない場合よりも、光透過部分（１００ａ，２００ａ，２００ｂ）に含有せしめられている素材の変色度合いが低下する。
【００２６】
そのため、請求項３に記載の光メディア収納ケース（１００，２００）によれば、光メディア収納ケース（１００，２００）に収納されている光メディアのバックアップの必要性、光メディア収納ケース（１００，２００）に収納されている光メディアの記録層が劣化した可能性などをユーザーに認識させることができる。
【考案を実施するための最良の形態】
【００２７】
以下、本考案の光メディア収納ケースの第１の実施形態について説明する。第１の実施形態の光メディア収納ケースは、例えばＣＤ系、ＤＶＤ系などの光記録ディスクのようなセンターホールを有する複数の光メディアを積層して収納するために用いられる。
【００２８】
図１および図２は第１の実施形態の光メディア収納ケース１００を示した図である。詳細には、図１（Ａ）は第１の実施形態の光メディア収納ケース１００の平面図、図１（Ｂ）は第１の実施形態の光メディア収納ケース１００の正面図、図２（Ａ）は第１の実施形態の光メディア収納ケース１００の分解図、図２（Ｂ）は複数の光メディアＭが積層して収納されている状態における第１の実施形態の光メディア収納ケース１００の正面図である。
【００２９】
第１の実施形態の光メディア収納ケース１００では、図１および図２に示すように、センターホールを有する複数の光メディアＭを積層して載置するためのベース１００ｂと、光メディアＭのセンターホールと嵌合するためのシャフト１００ｃと、積層された複数の光メディアＭを覆うための筒状カバー１００ａとが設けられている。
【００３０】
また、第１の実施形態の光メディア収納ケース１００では、図１および図２に示すように、筒状カバー１００ａが、例えばＰＰなどのような透明な樹脂材料によって形成され、光透過部分として構成されている。そのため、第１の実施形態の光メディア収納ケース１００では、図２（Ｂ）に示すように、ユーザーが、筒状カバー１００ａの内側の光メディアＭを筒状カバー１００ａの外側から認識することができる。
【００３１】
更に、第１の実施形態の光メディア収納ケース１００では、図１および図２に示すように、光透過部分としての筒状カバー１００ａに、所定量未満のＵＶ光に当たる時には変色せず、所定量以上のＵＶ光に当たる時には変色する素材が含有せしめられている。
【００３２】
詳細には、第１の実施形態の光メディア収納ケース１００では、その素材として、例えば特開平１０−１６８４３８号公報に記載されているようなフォトクロミック素材が用いられている。また、筒状カバー１００ａが例えば屋外の太陽光のような所定量以上のＵＶ光の下では変色し、筒状カバー１００ａが例えば屋内の弱い照明光のような所定量未満のＵＶ光の下では変色しないように、フォトクロミック素材が例えば数パーセントオーダーで例えばＰＰなどのような透明な樹脂材料に含有せしめられ、筒状カバー１００ａが成形されている。フォトクロミック素材は、可逆的に変色する性質を有している（特開平１０−１６８４３８号公報参照）。そのため、第１の実施形態の光メディア収納ケース１００では、光メディア収納ケース１００が例えば屋外に配置されて太陽光に曝され、筒状カバー１００ａに当たるＵＶ光が所定量以上になると、筒状カバー１００ａが変色するが、光メディア収納ケース１００が例えば屋内に戻され、筒状カバー１００ａに当たるＵＶ光が所定量未満になると、筒状カバー１００ａが元の色に戻る。
【００３３】
従って、第１の実施形態の光メディア収納ケース１００によれば、筒状カバー１００ａに含有せしめられているフォトクロミック素材が変色することにより、光メディアＭの記録層を劣化させるおそれがあるＵＶ光が光メディアＭに当たっていることをユーザーに認識させることができる。
【００３４】
更に、第１の実施形態の光メディア収納ケース１００では、筒状カバー１００ａに含有せしめられているフォトクロミック素材が変色している時には、筒状カバー１００ａに当たるＵＶ光および可視光のうち、いくつかの波長の光が、変色したフォトクロミック素材に吸収される。一方、筒状カバー１００ａに含有せしめられているフォトクロミック素材が変色していない時、つまり、筒状カバー１００ａがほぼ無色透明になっている時には、フォトクロミック素材が変色している時にフォトクロミック素材に吸収される光が、フォトクロミック素材に吸収されることなく筒状カバー１００ａを透過する。
【００３５】
すなわち、第１の実施形態の光メディア収納ケース１００では、筒状カバー１００ａに含有せしめられているフォトクロミック素材が変色している時に、筒状カバー１００ａに含有せしめられているフォトクロミック素材が変色していない時よりも、筒状カバー１００ａの光透過率が低くなる。詳細には、第１の実施形態の光メディア収納ケース１００では、フォトクロミック素材が変色している時の筒状カバー１００ａの光透過率が、フォトクロミック素材が変色していない時の筒状カバー１００ａの光透過率の例えば約６〜８割になる。
【００３６】
換言すれば、第１の実施形態の光メディア収納ケース１００では、筒状カバー１００ａに含有せしめられているフォトクロミック素材が変色している時に、ＵＶ光および可視光の一部が、筒状カバー１００ａに吸収され、光メディアＭの記録層に到達しない。そのため、第１の実施形態の光メディア収納ケース１００によれば、例えばＰＰなどのような透明な樹脂材料によって形成された筒状カバー１００ａにフォトクロミック素材が含有せしめられていない場合よりも、ＵＶ光および可視光が光メディアＭの記録層に到達してしまうのを抑制することができる。
【００３７】
その結果、第１の実施形態の光メディア収納ケース１００によれば、例えばＰＰなどのような透明な樹脂材料によって形成された筒状カバー１００ａにフォトクロミック素材が含有せしめられていない場合よりも、ＵＶ光および可視光による光メディアＭの記録層の劣化を抑制することができる。
【００３８】
更に、第１の実施形態の光メディア収納ケース１００では、筒状カバー１００ａに含有せしめられているフォトクロミック素材が変色している時に、筒状カバー１００ａが、光メディア収納ケース１００に収納される光メディアＭの記録層中の色素と同系統の色になる。
【００３９】
つまり、第１の実施形態の光メディア収納ケース１００では、ＵＶ光および可視光に含まれる光のうち、光メディアＭの記録層中の色素に吸収されやすく、光メディアＭの記録層を劣化させるおそれがある波長の光が、光メディアＭの記録層に到達する前に、光メディアＭの記録層中の色素と同系統の色に変色している筒状カバー１００ａに含有せしめられているフォトクロミック素材に吸収される。
【００４０】
換言すれば、第１の実施形態の光メディア収納ケース１００によれば、ＵＶ光および可視光に含まれる光のうち、仮に光メディアＭの記録層に到達すると、光メディアＭの記録層中の色素に吸収されて光メディアＭの記録層を劣化させるおそれがある波長の光が、光メディアＭの記録層に到達してしまうのを抑制することができる。
【００４１】
そのため、第１の実施形態の光メディア収納ケース１００によれば、筒状カバー１００ａが光メディアＭの記録層中の色素と同系統の色に変色しない場合よりも、ＵＶ光および可視光による光メディアＭの記録層の劣化を抑制することができる。
【００４２】
第２の実施形態の光メディア収納ケース１００では、代わりに、筒状カバー１００ａに含有せしめられているフォトクロミック素材が変色している時の筒状カバー１００ａの色と、光メディア収納ケース１００に収納される光メディアＭの記録層中の色素とを異なる系統にすることも可能である。
【００４３】
更に、第１の実施形態の光メディア収納ケース１００では、フォトクロミック素材が変色する程度に強いＵＶ光が長時間累積してフォトクロミック素材に当たると、可逆的に変色しなくなる性質（特開平１０−１６８４３８号公報参照）が利用されている。
【００４４】
つまり、第１の実施形態の光メディア収納ケース１００では、筒状カバー１００ａに含有せしめられているフォトクロミック素材が変色する程度に強いＵＶ光が所定時間以上累積して筒状カバー１００ａに当たった場合には、筒状カバー１００ａに含有せしめられているフォトクロミック素材が変色する程度に強いＵＶ光が所定時間未満しか累積して筒状カバー１００ａに当たっていない場合よりも、筒状カバー１００ａに含有せしめられているフォトクロミック素材の変色度合いが低下する。
【００４５】
詳細には、フォトクロミック素材が例えば数パーセントオーダーで例えばＰＰなどのような透明な樹脂材料に含有せしめられて筒状カバー１００ａが成形されている第１の実施形態の光メディア収納ケース１００では、フォトクロミック素材が変色する程度に強いＵＶ光が筒状カバー１００ａに当たる累積時間が長くなるに従って、筒状カバー１００ａに含有せしめられているフォトクロミック素材の変色度合いが低下する。更に、フォトクロミック素材が変色する程度に強いＵＶ光が約１００時間累積して筒状カバー１００ａに当たると、筒状カバー１００ａに含有せしめられているフォトクロミック素材が殆ど変色しなくなる。
【００４６】
そのため、第１の実施形態の光メディア収納ケース１００によれば、上述したフォトクロミック素材の性質を利用して、例えば光メディア収納ケース１００に収納されている光メディアＭのバックアップの必要性、光メディア収納ケース１００に収納されている光メディアＭの記録層が劣化した可能性などをユーザーに認識させることができる。
【００４７】
以下、本考案の光メディア収納ケースの第３の実施形態について説明する。第３の実施形態の光メディア収納ケースは、例えばＣＤ系、ＤＶＤ系などの光記録ディスクのようなセンターホールを有する１枚の光メディアを収納するために用いられる。
【００４８】
図３は第３の実施形態の光メディア収納ケース２００を示した図である。詳細には、図３はヒンジ軸２００ｃを中心にケース本体２００ｂに対して回動可能なケース蓋体２００ａが開かれた状態における第３の実施形態の光メディア収納ケース２００の平面図である。
【００４９】
第３の実施形態の光メディア収納ケース２００では、図３に示すように、光メディア（図示せず）のセンターホール（図示せず）を係止するための係止部２００ｂ１が、ケース本体２００ｂに設けられている。
【００５０】
また、第３の実施形態の光メディア収納ケース２００では、図３に示すように、ケース蓋体２００ａおよびケース本体２００ｂが、例えばＰＰなどのような透明な樹脂材料によって形成され、光透過部分として構成されている。そのため、第３の実施形態の光メディア収納ケース２００では、ユーザーが、光メディア収納ケース２００の内側の光メディア（図示せず）を外側からケース蓋体２００ａまたはケース本体２００ｂを介して認識することができる。
【００５１】
更に、第３の実施形態の光メディア収納ケース２００では、図３に示すように、光透過部分としてのケース蓋体２００ａおよびケース本体２００ｂに、所定量未満のＵＶ光に当たる時には変色せず、所定量以上のＵＶ光に当たる時には変色する素材が含有せしめられている。
【００５２】
詳細には、第３の実施形態の光メディア収納ケース２００では、その素材として、上述したフォトクロミック素材が用いられている。また、ケース蓋体２００ａおよびケース本体２００ｂが例えば屋外の太陽光のような所定量以上のＵＶ光の下では変色し、ケース蓋体２００ａおよびケース本体２００ｂが例えば屋内の弱い照明光のような所定量未満のＵＶ光の下では変色しないように、フォトクロミック素材が例えば数パーセントオーダーで例えばＰＰなどのような透明な樹脂材料に含有せしめられ、ケース蓋体２００ａおよびケース本体２００ｂが成形されている。上述したように、フォトクロミック素材は可逆的に変色する性質を有しているため、第３の実施形態の光メディア収納ケース２００では、光メディア収納ケース２００が例えば屋外に配置されて太陽光に曝され、ケース蓋体２００ａおよびケース本体２００ｂに当たるＵＶ光が所定量以上になると、ケース蓋体２００ａおよびケース本体２００ｂが変色するが、光メディア収納ケース２００が例えば屋内に戻され、ケース蓋体２００ａおよびケース本体２００ｂに当たるＵＶ光が所定量未満になると、ケース蓋体２００ａおよびケース本体２００ｂが元の色に戻る。
【００５３】
従って、第３の実施形態の光メディア収納ケース２００によれば、ケース蓋体２００ａおよびケース本体２００ｂに含有せしめられているフォトクロミック素材が変色することにより、光メディアの記録層を劣化させるおそれがあるＵＶ光が光メディアに当たっていることをユーザーに認識させることができる。
【００５４】
更に、第３の実施形態の光メディア収納ケース２００では、ケース蓋体２００ａおよびケース本体２００ｂに含有せしめられているフォトクロミック素材が変色している時には、ケース蓋体２００ａおよびケース本体２００ｂに当たるＵＶ光および可視光のうち、いくつかの波長の光が、変色したフォトクロミック素材に吸収される。一方、ケース蓋体２００ａおよびケース本体２００ｂに含有せしめられているフォトクロミック素材が変色していない時、つまり、ケース蓋体２００ａおよびケース本体２００ｂがほぼ無色透明になっている時には、フォトクロミック素材が変色している時にフォトクロミック素材に吸収される光が、フォトクロミック素材に吸収されることなくケース蓋体２００ａおよびケース本体２００ｂを透過する。
【００５５】
すなわち、第３の実施形態の光メディア収納ケース２００では、ケース蓋体２００ａおよびケース本体２００ｂに含有せしめられているフォトクロミック素材が変色している時に、ケース蓋体２００ａおよびケース本体２００ｂに含有せしめられているフォトクロミック素材が変色していない時よりも、ケース蓋体２００ａおよびケース本体２００ｂの光透過率が低くなる。詳細には、第３の実施形態の光メディア収納ケース２００では、フォトクロミック素材が変色している時のケース蓋体２００ａおよびケース本体２００ｂの光透過率が、フォトクロミック素材が変色していない時のケース蓋体２００ａおよびケース本体２００ｂの光透過率の例えば約６〜８割になる。
【００５６】
換言すれば、第３の実施形態の光メディア収納ケース２００では、ケース蓋体２００ａおよびケース本体２００ｂに含有せしめられているフォトクロミック素材が変色している時に、ＵＶ光および可視光の一部が、ケース蓋体２００ａおよびケース本体２００ｂに吸収され、光メディアの記録層に到達しない。そのため、第３の実施形態の光メディア収納ケース２００によれば、例えばＰＰなどのような透明な樹脂材料によって形成されたケース蓋体２００ａおよびケース本体２００ｂにフォトクロミック素材が含有せしめられていない場合よりも、ＵＶ光および可視光が光メディアの記録層に到達してしまうのを抑制することができる。
【００５７】
その結果、第３の実施形態の光メディア収納ケース２００によれば、例えばＰＰなどのような透明な樹脂材料によって形成されたケース蓋体２００ａおよびケース本体２００ｂにフォトクロミック素材が含有せしめられていない場合よりも、ＵＶ光および可視光による光メディアの記録層の劣化を抑制することができる。
【００５８】
更に、第３の実施形態の光メディア収納ケース２００では、ケース蓋体２００ａおよびケース本体２００ｂに含有せしめられているフォトクロミック素材が変色している時に、ケース蓋体２００ａおよびケース本体２００ｂが、光メディア収納ケース２００に収納される光メディアの記録層中の色素と同系統の色になる。
【００５９】
つまり、第３の実施形態の光メディア収納ケース２００では、ＵＶ光および可視光に含まれる光のうち、光メディアの記録層中の色素に吸収されやすく、光メディアの記録層を劣化させるおそれがある波長の光が、光メディアの記録層に到達する前に、光メディアの記録層中の色素と同系統の色に変色しているケース蓋体２００ａおよびケース本体２００ｂに含有せしめられているフォトクロミック素材に吸収される。
【００６０】
換言すれば、第３の実施形態の光メディア収納ケース２００によれば、ＵＶ光および可視光に含まれる光のうち、仮に光メディアの記録層に到達すると、光メディアの記録層中の色素に吸収されて光メディアの記録層を劣化させるおそれがある波長の光が、光メディアの記録層に到達してしまうのを抑制することができる。
【００６１】
そのため、第３の実施形態の光メディア収納ケース２００によれば、ケース蓋体２００ａおよびケース本体２００ｂが光メディアの記録層中の色素と同系統の色に変色しない場合よりも、ＵＶ光および可視光による光メディアの記録層の劣化を抑制することができる。
【００６２】
第４の実施形態の光メディア収納ケース２００では、代わりに、ケース蓋体２００ａおよびケース本体２００ｂに含有せしめられているフォトクロミック素材が変色している時のケース蓋体２００ａおよびケース本体２００ｂの色と、光メディア収納ケース２００に収納される光メディアの記録層中の色素とを異なる系統にすることも可能である。
【００６３】
更に、第３の実施形態の光メディア収納ケース２００では、フォトクロミック素材が変色する程度に強いＵＶ光が長時間累積してフォトクロミック素材に当たると可逆的に変色しなくなる上述した性質が利用されている。
【００６４】
つまり、第３の実施形態の光メディア収納ケース２００では、ケース蓋体２００ａおよびケース本体２００ｂに含有せしめられているフォトクロミック素材が変色する程度に強いＵＶ光が所定時間以上累積してケース蓋体２００ａおよびケース本体２００ｂに当たった場合には、ケース蓋体２００ａおよびケース本体２００ｂに含有せしめられているフォトクロミック素材が変色する程度に強いＵＶ光が所定時間未満しか累積してケース蓋体２００ａおよびケース本体２００ｂに当たっていない場合よりも、ケース蓋体２００ａおよびケース本体２００ｂに含有せしめられているフォトクロミック素材の変色度合いが低下する。
【００６５】
詳細には、フォトクロミック素材が例えば数パーセントオーダーで例えばＰＰなどのような透明な樹脂材料に含有せしめられてケース蓋体２００ａおよびケース本体２００ｂが成形されている第３の実施形態の光メディア収納ケース２００では、フォトクロミック素材が変色する程度に強いＵＶ光がケース蓋体２００ａおよびケース本体２００ｂに当たる累積時間が長くなるに従って、ケース蓋体２００ａおよびケース本体２００ｂに含有せしめられているフォトクロミック素材の変色度合いが低下する。更に、フォトクロミック素材が変色する程度に強いＵＶ光が約１００時間累積してケース蓋体２００ａおよびケース本体２００ｂに当たると、ケース蓋体２００ａおよびケース本体２００ｂに含有せしめられているフォトクロミック素材が殆ど変色しなくなる。
【００６６】
そのため、第３の実施形態の光メディア収納ケース２００によれば、上述したフォトクロミック素材の性質を利用して、例えば光メディア収納ケース２００に収納されている光メディアのバックアップの必要性、光メディア収納ケース２００に収納されている光メディアの記録層が劣化した可能性などをユーザーに認識させることができる。
【００６７】
第３の実施形態の光メディア収納ケース２００では、ケース本体２００ｂが、例えばＰＰなどのような透明な樹脂材料によって形成され、光透過部分として構成されているが、第５の実施形態の光メディア収納ケース２００では、代わりに、不透明な樹脂材料によってケース本体２００ｂを形成することも可能である。
【図面の簡単な説明】
【００６８】
【図１】第１の実施形態の光メディア収納ケース１００を示した図である。
【図２】第１の実施形態の光メディア収納ケース１００を示した図である。
【図３】第３の実施形態の光メディア収納ケース２００を示した図である。
【符号の説明】
【００６９】
１００      光メディア収納ケース
１００ａ    筒状カバー
１００ｂ    ベース
１００ｃ    シャフト
２００      光メディア収納ケース
２００ａ    ケース蓋体
２００ｂ    ケース本体
２００ｂ１  係止部
２００ｃ    ヒンジ軸
Ｍ          光メディア
【図１】
0003145685.tif 000003
【図２】
0003145685.tif 000004
【図３】
0003145685.tif 000005